(57)【要約】      （修正有）【課題】簡易に設置することができ、安全衛生上清潔な状態を維持することができるカートリッジ式仕切装置を提供する。【解決手段】カートリッジ式仕切装置１は、第１支柱２と、第２支柱４と、シートカートリッジと、を備えています。シートカートリッジは第１支柱２に収納され、遮蔽シート３１が巻回されています。仕切装置をカートリッジ式として使い捨ての遮蔽シートを採用したことにより、遮蔽シート３１のアルコール除菌等の作業負担を軽減することができます。【選択図】図３
0003234609.tif 000002
【実用新案登録請求の範囲】
【請求項１】
使い捨ての遮蔽シートが巻回されたシートカートリッジと、
設置面から起立するように設置され、内部に前記シートカートリッジを収納するカートリッジ収納空間を有する第１支柱と、
前記設置面から起立し、前記第１支柱と距離を空けて設置され、前記遮蔽シートを固定する固定部を有する第２支柱と、から構成され、
前記第１支柱は、前記カートリッジ収納空間を開閉する第１扉と、前記第１扉に形成された前記遮蔽シートが通過可能なスリットと、を有していることを特徴とするカートリッジ式仕切装置。
【請求項２】
前記第１扉には、前記スリットを開閉可能なスライド部が設けられていて、
前記第１支柱は、前記シートカートリッジを押圧することにより回転可能に支持する支持部を有していることを特徴とする請求項１に記載のカートリッジ式仕切装置。
【請求項３】
前記第２支柱には、前記第２支柱の延出方向に移動可能であって前記遮蔽シートを切断するカッター部が設けられ、
前記第２支柱は、挿入口から前記遮蔽シートが挿入されて排出口から前記遮蔽シートが排出される挿通溝が形成されるとともに、前記挿通溝を通過した前記遮蔽シートを挟持するための第２扉を有し、
前記カッター部は、前記排出口に設けられていることを特徴とする請求項１または２に記載のカートリッジ式仕切装置。
【考案の詳細な説明】
【技術分野】
【０００１】
本考案は、カートリッジ式仕切装置に関し、特に飛沫の飛散を防止するためのカートリッジ式仕切装置に関する。
【背景技術】
【０００２】
今般のコロナウィルス感染症によって、三密の防止抑制、飛散飛沫防護、及びソーシャルディスタンスの確保などが求められている。現在の店舗運営では、間取り等の理由から限られた空間で集客数を確保し、効率よく売上を上げることを目的として店舗設計を行っているため、十分な感染防止対策を行うことは難しい状況であった。
【０００３】
このような飲食店では、特許文献１に記載のパーティションによって客席を仕切ることにより感染症防止対策を行っていた。パーティションでは、可撓性シートが巻き取り可能に構成されているため、任意の場所に持ち運んでパーティションとして使用することができる。また、使用後に可撓性シートを巻き取ることによりコンパクトな状態で保管することができる。
【０００４】
特許文献２に記載の仕切装置では、シート状部材がロール状に巻回されており、２つの支持柱の間にシート状部材を渡すことによって仕切として機能させている。仕切装置は、ロール状に巻回されたシート状部材を引き出すことで仕切るため、仕切範囲をフレキシブルに変更することができる。また、専有される領域が２本の支持柱とシート状部材が引き出される領域なので、限定的なスペースで設置可能である。
【先行技術文献】
【特許文献】
【０００５】
【特許文献１】実用新案登録第３２３１３９７号
【特許文献２】実用新案登録第３２２７８５２号
【考案の概要】
【考案が解決しようとする課題】
【０００６】
しかし、特許文献１に記載のパーティションでは、可撓性シートが繰り返し使用されることから、飲食店等で使用する場合には顧客が入れ替わる度に可撓性シートをアルコール等で消毒する必要があり、従業員の除菌作業の負担が大きかった。また、可撓性シートの長さ以上の距離をパーティションで区切ることは難しく、設置できる範囲に限りがあった。
【０００７】
また、特許文献２に記載の仕切装置においても同様に、シート状部材が繰り返し使用されることから、飲食店等で使用する場合には顧客が入れ替わる度に可撓性シートをアルコール等で消毒する必要があり、従業員の除菌作業の負担が大きかった。また、巻き取られた可撓性シートが外部に露出しているため、設置された状態においても外気に曝されることによってウイルスの付着等が懸念された。
【０００８】
そこで、本考案では、簡易に設置することができ、安全衛生上清潔な状態を維持することができるカートリッジ式仕切装置を提供することを目的とする。
【課題を解決するための手段】
【０００９】
上記課題を解決するために本考案は、使い捨ての遮蔽シートが巻回されたシートカートリッジと、設置面から起立するように設置され、内部に前記シートカートリッジを収納するカートリッジ収納空間を有する第１支柱と、前記設置面から起立し、前記第１支柱と距離を空けて設置され、前記遮蔽シートを固定する固定部を有する第２支柱と、から構成され、前記第１支柱は、前記カートリッジ収納空間を開閉する第１扉と、前記第１扉に形成された前記遮蔽シートが通過可能なスリットと、を有していることを特徴とするカートリッジ式仕切装置を提供している。
【００１０】
第２の考案では、第１の考案のカートリッジ式仕切装置であって、前記第１扉には、前記スリットを開閉可能なスライド部が設けられていて、前記第１支柱は、前記シートカートリッジを押圧することにより回転可能に支持する支持部を有していることを特徴としている。
【００１１】
第３の考案では、第１の考案又は第２の考案に記載のカートリッジ式仕切装置であって、前記第２支柱には、前記第２支柱の延出方向に移動可能であって前記遮蔽シートを切断するカッター部が設けられ、前記第２支柱は、挿入口から前記遮蔽シートが挿入されて排出口から前記遮蔽シートが排出される挿通溝が形成されるとともに、前記挿通溝を通過した前記遮蔽シートを挟持するための第２扉を有し、前記カッター部は、前記排出口に設けられていることを特徴としている。
【考案の効果】
【００１２】
第１の考案によると、遮蔽シートは第１支柱にシートカートリッジとして収納され第２支柱に固定されるため、使い終わった遮蔽シートを廃棄して新たな遮蔽シートを使用することができる。これにより、衛生的な仕切装置を提供することができる。特に、飲食店等では顧客が変わる度に仕切シートのアルコール除菌といった作業が必要になるが、カートリッジ式であることにより除菌作業を行う必要がなく、従業員の作業負担を軽減することができる。また、シートカートリッジがカートリッジ収納空間に収納され第１扉によって開閉されるため、外気に曝されることがない。これにより、シートカートリッジにウイルス等が付着することを抑制でき、常に衛生的な遮蔽シートによって空間を仕切ることができる。さらに、第１支柱には遮蔽シートが通過可能なスリットが形成されているため、スリットが案内となって遮蔽シートを円滑に引き出すことができる。また、シートカートリッジを第１支柱に収納し遮蔽シートを第２支柱に固定するため、第１支柱と第２支柱との間隔を調整することにより、仕切る距離を任意に設定することができる。
【００１３】
第２の考案によると、第１扉にスリットを開閉可能なスライド部が設けられているため、第２支柱に遮蔽シートを固定した状態でスライド部の開閉を行うことにより、遮蔽シートが挟持されて跡が残る。この跡を目安として遮蔽シート３１をカットすることにより、使用した領域と未使用の領域を判断することができ、衛生的に優れたカートリッジ式仕切装置を実現できる。また、スライド部を移動してスリットの幅を狭めることにより、カートリッジ収納空間へのウイルスの侵入を抑制することができる。さらに、支持部がシートカートリッジを押圧することにより回転可能に支持するため、円滑に遮蔽シートを引き出すことができるとともに、簡易な方法でシートカートリッジの交換を行うことができる。
【００１４】
第３の考案によると、第２支柱にカッター部が設けられているため、使用済の遮蔽シートを切断することができる。また、カッター部は排出口に設けられているため、新たに挿通溝に遮蔽シートを通す作業が不要となり、簡易な方法で遮蔽シートの入れ替えを行うことができる。さらに、第２扉によって遮蔽シートが挟持されるため、遮蔽シートを第２支柱に固定することができる。
【００１５】
本考案によると、簡易に設置することができ、安全衛生上清潔な状態を維持することができるカートリッジ式仕切装置を提供することができる。
【図面の簡単な説明】
【００１６】
【図１】本考案の実施の形態のカートリッジ式仕切装置の第１支柱のシートカートリッジを挿入するときの斜視図。
【図２】本考案の実施の形態のカートリッジ式仕切装置の第２支柱であって、図２（ａ）は第２支柱の側面斜視図、図２（ｂ）は第２支柱の反対側の側面斜視図。
【図３】本考案の実施の形態のカートリッジ式仕切装置の設置状態を示す斜視図。
【図４】本考案の実施の形態のカートリッジ式仕切装置の第１支柱の縦方向の断面図。
【図５】本考案の実施の形態のカートリッジ式仕切装置の第２支柱の縦方向の断面図。
【図６】本考案の実施の形態のカートリッジ式仕切装置の第１支柱の横方向の断面図。
【図７】本考案の実施の形態のカートリッジ式仕切装置の第２支柱の横方向の断面図。
【図８】本考案の実施の形態のカートリッジ式仕切装置を使用するときのフローチャート。
【図９】本考案の実施の形態のカートリッジ式仕切装置の店舗での使用状態を示すレイアウト図。
【図１０】本考案の実施の形態のカートリッジ式仕切装置の避難所及びワクチン接種会場等々での使用状態を示すレイアウト図。
【考案を実施するための形態】
【００１７】
本考案の実施の形態によるカートリッジ式仕切装置１を図１から図１０に基づいて説明する。図中に示すように、前後上下左右方向を定義する。
【００１８】
カートリッジ式仕切装置１は、第１支柱２と、シートカートリッジ３と、第２支柱４と、を備えている。第１支柱２は、設置面である地面から起立する略円筒形状であって、第１本体部２１と、第１扉２２と、スライド部２３と、支持部２４と、を有している。第１支柱２の内部には、シートカートリッジ３が挿入される略円柱形状の空間であるカートリッジ収納空間２ａが規定される。カートリッジ式仕切装置１は、第１支柱２に使い捨て形式のシートカートリッジ３を挿入して使用し、シートカートリッジ３が終了すると新たなシートカートリッジ３を入れ替えることにより、繰り返し使うことができる詰め替え式の仕切装置である。
【００１９】
第１支柱２の高さは１６５０ｍｍであるが、設置する場所に応じて任意の高さを設定することができる。第１支柱２は、支柱としてまた芯棒として機能し得る機械的強度と剛性を有する材料が好ましく、鉄、ステンレス、銅、アルミニウムなどの金属や合金、ポリ塩化ビニル、ポリカーボネイト、アクリル樹脂、ＡＢＳ樹脂（アクリロニトリル・ブタジエン・スチレン共重合体樹脂）などのポリマー材料等が例示され、これらの中でもポリマー材料は、軽く、機械的強度が高く且つ安価であるので好ましく、特に軽さの点からは携帯用に好ましい。
【００２０】
図１及び図６に示すように、第１本体部２１は略円筒形状であって、上下方向の長さがシートカートリッジ３よりも長い開口２１ａが形成されている。開口２１ａを介して、シートカートリッジ３がカートリッジ収納空間２ａに挿入される。開口２１ａは、シートカートリッジ３が挿入可能な程度の幅を有している。第１扉２２は円弧状に湾曲し、円筒形状の第１本体部２１の外周の一部を構成している。第１扉２２は、開口２１ａを開閉可能であって、円周方向にスライドするスライド部２３が設けられている。図４に示すように、第１扉２２には上下方向の長さがシートカートリッジ３よりも長いスリット２２ａが形成されている。第１扉２２を閉じることにより、カートリッジ収納空間２ａは閉塞された空間となる。スライド部２３は、図４に点線で示すようなスリット２２ａを閉じた閉状態と、図４に実線で示すようなスリット２２ａを開いた開状態とを切替可能である。スライド部２３は、第１扉２２と略同一の曲率であって円弧状に湾曲している。
【００２１】
支持部２４は、第１本体部２１のカートリッジ収納空間２ａの下部に配置されシートカートリッジ３を支えている。支持部２４は、支持板２５と、弾性部材２６と、第１突起２７と、を有している。支持板２５は、弾性部材２６であるスプリングによって下方から支持されており、上下方向に移動可能である。支持板２５は略円盤形状であって、中央に上方に向けて突出する第１突起２７が設けられている。弾性部材２６は、支持部２４の中央及び円周方向に等間隔に４つの合計５つ設けられている。なお、弾性部材２６はスプリングに限定されず、例えば、板バネ、ゴム等であってもよい。
【００２２】
第１本体部２１のカートリッジ収納空間２ａの上部には、下方に突出する第２突起２８が設けられている。シートカートリッジ３がカートリッジ収納空間２ａに収納されたとき、シートカートリッジ３に第１突起２７及び第２突起２８が係合することにより回転可能に支持される。
【００２３】
シートカートリッジ３は、遮蔽シート３１を巻芯３２に巻回することにより構成されている。本実施の形態における遮蔽シート３１は、厚さ０．３〜０．６ｍｍ程度の透過性を有するポリマー樹脂のシートであって、ポリエステル（特に、ポリエチレンテレフタレート（ＰＥＴ））、ポリエチレン（ＰＥ、例えば、透明性が高く光沢のある柔らかい素材である低密度ポリエチレン（ＬＤＰＥ）、又は強度の高い直鎖状低密度ポリエチレン（ＬＬＤＰＥ））、ポリプロピレン（ＰＰ）、ポリ塩化ビニル（ＰＶＣ）であることが望ましい。遮蔽シート３１は約２０ｍ巻芯３２に巻回されており、通常１８００ｍｍの１０回分を想定している。本実施の形態の遮蔽シート３１は、上記に限定されず透過性を有しておらず色又は柄が印刷されているシート、文字等が記載されたシートであってもよい。また、当該シートは、利用者のオリジナルのものを利用してもよい。
【００２４】
第２支柱４は、図２に示すように、第１支柱２と同様に設置面である地面から起立する略円筒形状であって、第２本体部４１と、第２扉４２と、カッター部４３と、を有している。第２支柱４には、図７に示すように、左右方向に貫通する挿通溝４１ａが形成される。
【００２５】
第２支柱４の高さは第１支柱２と略同一の１６５０ｍｍであるが、設置する場所に応じて任意の高さを設定することができる。第２支柱４は、支柱としてまた芯棒として機能し得る機械的強度と剛性を有する材料が好ましく、鉄、ステンレス、銅、アルミニウムなどの金属や合金、ポリ塩化ビニル、ポリカーボネイト、アクリル樹脂、ＡＢＳ樹脂（アクリロニトリル・ブタジエン・スチレン共重合体樹脂）などのポリマー材料等が例示され、これらの中でもポリマー材料は、軽く、機械的強度が高く且つ安価であるので好ましく、特に軽さの点からは携帯用に好ましい。
【００２６】
図２に示すように、第２本体部４１は略円筒形状であって、右部に上下方向の長さがシートカートリッジ３よりも長く遮蔽シート３１が挿通溝４１ａへ挿入される挿入口４１ｂが形成され、左部に挿入口４１ｂと略同一形状であって遮蔽シート３１が挿通溝４１ａから排出される排出口４１ｃが形成される。第２本体部４１の前右部分には、図２（ｂ）に示すように、第２扉４２と係合可能な係合部４４が設けられている。係合部４４は、上下方向の長さが挿通溝４１ａと略同一であって、円周方向に延びる多数の爪を備えている。
【００２７】
第２扉４２は、係合部４４と係合可能であって、多数の爪を有する被係合部４５を備えている。第２扉４２を閉じると、係合部４４と被係合部４５とが係合する。第２扉４２が閉じられて遮蔽シート３１が係合部４４と被係合部４５とで挟持されることにより、第２支柱４に固定される。カッター部４３は、図５に示すように排出口４１ｃの近傍に設けられていて、レール４６と、移動部４７と、カッター刃４８と、を有している。レール４６は、挿通溝４１ａよりも上下方向に僅かに長く、移動部４７が上下方向に移動可能である。カッター刃４８は、移動部４７上に設けられていて、上下方向に刃を有しているため、下に移動しても上に移動しても排出口４１ｃから露出する遮蔽シート３１を切断することができる。
【００２８】
次に、カートリッジ式仕切装置１の使用方法について、図８を参照して説明する。ユーザは、第１扉２２を開いてシートカートリッジ３を第１支柱２のカートリッジ収納空間２ａに挿入する（Ｓ１）。このとき、第１突起２７を巻芯３２に挿入し、シートカートリッジ３を下に押圧することにより支持部２４を下げる。巻芯３２が第２突起２８を乗り越えたら、押圧を解除してシートカートリッジ３を第１突起２７及び第２突起２８に係合させ、シートカートリッジ３の装着が完了する。ユーザは、スライド部２３を開状態としてスリット２２ａに遮蔽シート３１を挿入し、第１扉２２を閉じる（Ｓ２）。遮蔽シート３１をさらに引き出して、第１支柱２から離間した位置の第２支柱４の挿入口４１ｂから挿通溝４１ａに挿入し、排出口４１ｃから排出する（Ｓ３、図７）。
【００２９】
遮蔽シート３１の端部を第２支柱４の円周に沿って湾曲させ、遮蔽シート３１の先端が係合部４４に位置するまでシートカートリッジ３を引き出し、第２扉４２を閉じる（Ｓ４）。これにより、遮蔽シート３１が係合部４４と被係合部４５とに挟持され第２支柱４に固定される。ユーザは、スライド部２３を一度閉じて再び開き、遮蔽シート３１に跡をつける（Ｓ５）。これにより、図３に示すように、カートリッジ式仕切装置１が使用可能な状態となる。カートリッジ式仕切装置１の仕切幅である第１支柱２と第２支柱４との距離を調整したい場合は、第２支柱４を動かすことによりシートカートリッジ３から遮蔽シート３１が引き出す。
【００３０】
カートリッジ式仕切装置１の使用が終了すると（Ｓ６：ＹＥＳ）、第２扉４２を開いてＳ５で付けた跡が排出口４１ｃの位置に来るまで遮蔽シート３１を引き出す（Ｓ７）。このとき、シートカートリッジ３の遮蔽シート３１が終了してしまった場合は（Ｓ８：ＹＥＳ）、空になった巻芯３２を第１支柱２から取り出し（Ｓ９）、再び新たなシートカートリッジ３を第１支柱２に挿入する（Ｓ１）。
【００３１】
シートカートリッジ３が終了しなかった場合は（Ｓ８：ＮＯ）、カッター刃４８を下方に移動させることによって遮蔽シート３１をカットする（Ｓ１０）。なお、カッター刃４８がレール４６の下端部に位置している場合には、上方に移動させることによって遮蔽シート３１をカットすることができる。カッター刃４８は上下に刃が設けられているため、上に移動しても下に移動しても遮蔽シート３１をカットすることができる。このとき、スライド部２３によって付けられた跡よりも上流側で切断することにより、仕切として使用した遮蔽シート３１の部分を確実に破棄することができる。
【００３２】
図９及び図１０に、カートリッジ式仕切装置１の使用形態の一例を示す。カートリッジ式仕切装置１は、飲食店のテーブルを個別に区画するように配置される。カートリッジ式仕切装置１は、カートリッジ式であるため、第１支柱２と第２支柱４との間隔を調整することで様々な店舗レイアウトに対応することができる。
【００３３】
図１０の波線の左側に示すように、災害時における避難所では家族ごとのブースを仕切るために使用することができる。また、カートリッジ式仕切装置１を略コ字状に配置することにより、個々のプライバシーを確保することが可能となり被災時における精神的苦痛を和らげることができる。図１０の波線の右側に示すように、コロナワクチン接種等の広い会場を、間隔を空けて仕切る際に利用することができる。また、集団での催事、人流を管理監督するような場合に、人同士の距離が近づいても直接対峙することを防止できる。
【００３４】
このような構成によると、遮蔽シート３１は第１支柱２にシートカートリッジ３として収納され第２支柱４に固定されるため、使い終わった遮蔽シート３１を廃棄して新たな遮蔽シート３１を使用することができる。これにより、衛生的なカートリッジ式仕切装置１を提供することができる。特に、飲食店等では顧客が変わる度に仕切シートのアルコール除菌といった作業が必要になるが、カートリッジ式であることにより除菌作業を行う必要がなく、従業員の作業負担を軽減することができる。また、シートカートリッジ３はカートリッジ収納空間２ａに収納され第１扉２２によって開閉されるため、外気に曝されることがない。これにより、シートカートリッジ３にウイルス等が付着することを抑制でき、常に衛生的な遮蔽シート３１によって空間を仕切ることができる。さらに、第１支柱２には遮蔽シート３１が通過可能なスリット２２ａが形成されているため、スリット２２ａが案内となって遮蔽シート３１を円滑に引き出すことができる。また、シートカートリッジ３を第１支柱２に収納し遮蔽シート３１を第２支柱４に固定するため、第１支柱２と第２支柱４との間隔を調整することにより、仕切る距離を任意に設定することができる。
【００３５】
このような構成によると、第１扉２２にスリット２２ａを開閉可能なスライド部２３が設けられているため、第２支柱に遮蔽シートを固定した状態でスライド部２３の開閉を行うことにより、遮蔽シート３１が挟持されて跡が残る。この跡を目安として遮蔽シート３１をカットすることにより、使用した領域と未使用の領域を判断することができ、衛生的に優れたカートリッジ式仕切装置１を実現できる。また、スライド部２３を移動してスリット２２ａの幅を狭めることにより、カートリッジ収納空間へのウイルスの侵入を抑制することができる。さらに、支持部２４がシートカートリッジ３を押圧することにより回転可能に支持するため、円滑に遮蔽シート３１を引き出すことができるとともに、簡易な方法でシートカートリッジ３の交換を行うことができる。
【００３６】
このような構成によると、第２支柱４にカッター部４３が設けられているため、使用済の遮蔽シート３１を切断することができる。また、カッター部４３は排出口４１ｃに設けられているため、新たに挿通溝４１ａに遮蔽シート３１を通す作業が不要となり、簡易な方法で遮蔽シート３１の入れ替えを行うことができる。さらに、第２扉４２によって遮蔽シート３１が挟持されるため、遮蔽シート３１を第２支柱４に固定することができる。
【００３７】
本考案の実施の形態は、上述した実施の形態に限定されず、実用新案登録請求の範囲に記載された考案の要旨の範囲内で種々の変更が可能である。
【００３８】
上記の実施の形態では、支持部２４において支持板２５が弾性部材２６によって押圧されることによりシートカートリッジ３を支持したが、これに限定されない。例えば、支持板が引き出し可能であって、引き出された支持板の上にシートカートリッジ３を載置して元の位置に戻すことによりシートカートリッジ３を交換してもよい。
【符号の説明】
【００３９】
１      カートリッジ式仕切装置
２      第１支柱
３      シートカートリッジ
４      第２支柱
２１    第１本体部
２２    第１扉
２３    スライド部
２４    支持部
３１    遮蔽シート
３２    巻芯
４１    第２本体部
４１ａ  挿通溝
４１ｂ  挿入口
４１ｃ  排出口
４２    第２扉
４３    カッター部
【図１】
0003234609.tif 000003
【図２】
0003234609.tif 000004
【図３】
0003234609.tif 000005
【図４】
0003234609.tif 000006
【図５】
0003234609.tif 000007
【図６】
0003234609.tif 000008
【図７】
0003234609.tif 000009
【図８】
0003234609.tif 000010
【図９】
0003234609.tif 000011
【図１０】
0003234609.tif 000012